(57)【特許請求の範囲】
【請求項１】
各商品の商品コードに対応して商品名称，分類コード，金額等の商品情報を記憶管理する商品ファイルを備え、この商品ファイルに追加する商品情報や変更する商品情報を格納したメンテナンスファイルを外部より入力すると、このメンテナンスファイルに格納された商品情報に基づいて前記商品ファイルで記憶管理する商品情報を更新する商品情報管理装置において、
前記メンテナンスファイルを入力する毎にそのメンテナンスファイルに格納された商品情報と更新前の前記商品ファイルに格納された商品情報とを照合する商品情報照合手段と、この商品情報照合手段により前記メンテナンスファイルに存在し前記商品ファイルには存在しない商品コードの商品情報を検出するとこの商品情報を新規商品の情報として当該商品の取扱開始時から一定期間記憶管理する新規商品管理手段とを具備したことを特徴とする商品情報管理装置。
【請求項２】
前記メンテナンスファイルに格納される商品情報に当該商品情報を新規商品の情報として管理する開始日である新規開始変更日の情報を選択的に設定し、前記新規商品管理手段を、前記商品情報照合手段によりメンテナンスファイルに存在し前記商品ファイルには存在しない商品コードの商品情報を検出するとこのメンテナンスファイルの商品情報に新規開始変更日の情報が設定されているか否かを判断し、設定されていない場合にはこの商品情報を取扱開始時から一定期間新規商品の情報として記憶管理し、設定されている場合にはその新規開始変更日から一定期間新規商品の情報として記憶管理する手段としたことを特徴とする請求項１記載の商品情報管理装置。
【請求項３】
前記商品情報照合手段により前記メンテナンスファイルと商品ファイルの両方に存在する商品コードの商品情報を検出すると、前記メンテナンスファイル側の当該商品情報に新規開始変更日の情報が設定されているか否かを判断し、設定されている場合にはその新規開始変更日から一定期間新規商品の情報として当該商品情報を記憶管理する新規変更商品管理手段を設けたことを特徴とする請求項２記載の商品情報管理装置。
【請求項４】
前記メンテナンスファイルに格納される商品情報に新規対象外フラグを選択的に設定し、前記新規商品管理手段を、前記商品情報照合手段によりメンテナンスファイルに存在し前記商品ファイルには存在しない商品コードの商品情報を検出するとこのメンテナンスファイルの商品情報に新規対象外フラグが設定されているか否かを判断し、設定されていない場合のみこの商品情報を取扱開始時から一定期間新規商品の情報として記憶管理する手段としたことを特徴とする請求項１記載の商品情報管理装置。
【請求項５】
各商品を分類する分類コード別に新規商品としての取扱期間を予め設定したテーブルメモリを設け、前記新規商品管理手段により新規商品の情報として記憶管理する期間を、その商品が属する分類コードに対応して前記テーブルメモリに設定された取扱期間とすることを特徴とする請求項１乃至４のうちいずれか１項記載の商品情報管理装置。
【発明の詳細な説明】
【０００１】
【発明の属する技術分野】
本発明は、小売店で取り扱う各商品に関する種々の情報を記憶管理して、商品の売上や発注等の店舗業務を支援する商品情報管理装置に関する。
【０００２】
【従来の技術】
本部が複数の小売店を統轄する業態，例えばコンビニエンスストアでは、各小売店にＰＯＳ（Point Of Sales：販売時点情報管理）ターミナルとストアコントローラとからなるＰＯＳシステムを構築するとともに本部にコンピュータシステムを構築し、各小売店のＰＯＳシステムと本部のコンピュータシステムとをネットワークで接続して、各小売店での商品売上や各小売店からの商品発注等を本部で一元的に管理するようにしている。
【０００３】
具体的には、本部のコンピュータシステムから各小売店のストアコントローラに、それぞれ自店舗で取り扱う各商品の商品コードに対応して商品名称，分類コード，売価，原価，製造元コード，発注単位等の商品情報を記憶管理する商品ファイルを配信し、各小売店ではストアコントローラが上記商品ファイルの商品情報に基づいて前記ＰＯＳターミナルで実施される商品の売上や発注等の店舗業務を支援する。そして、各小売店のストアコントローラが取得した商品の売上データや発注データをネットワークを介して本部のコンピュータシステムで収集することにより、本部での一元管理を実現している。
ここに、ストアコントローラは、小売店で取り扱う各商品に関する種々の情報を記憶管理して、商品の売上や発注等の店舗業務を支援する商品情報管理装置として機能する。
【０００４】
ところで一般に、各小売店では、売上や発注等の店舗業務を実施する場合に、新たに販売を始めた新規商品と例えば１か月以上継続して販売している通常商品とを区別して取り扱うようにしている。そこで従来は、本部のコンピュータシステムから各小売店のストアコントローラに配信される商品ファイルの各商品情報に新規商品か通常商品かを識別するフラグをそれぞれ設定し、ストアコントローラが商品ファイルをアクセスする際にそのフラグを元に新規商品か通常商品かを判別して、各ＰＯＳターミナルで実施される店舗業務を支援していた。
【０００５】
【発明が解決しようとする課題】
このように、従来は本部側で新規商品と通常商品とを区別してその結果を商品ファイルにフラグとして設定していたので、本部でフラグの設定ミスがあった場合に、各小売店において新規商品であるべき商品が通常商品として取り扱われたり、逆に通常商品が新規商品として取り扱われることがあった。
【０００６】
しかも、ストアコントローラにおいては、本部から配信された最新の商品ファイルのフラグから情報管理対象の商品が新規商品であるか否かを判断していたので、例えば発注業務において当日より先の日付の発注日には新規商品でなくなる商品も現時点では新規商品であるとすると、新規商品として取り扱われてしまっていた。
【０００７】
また、本部から配信される商品ファイルは全国版で作成されるので、特定の地域のみ先行して販売される商品の商品情報も、遅れて販売される他地域の小売店に一斉に配信されていた。そして、本部ではこの種の商品を先行地域で販売が開始されてから一定の期間だけ新規商品として取り扱うようにしていた。このため、他の地域で販売が開始されるまでに一定の期間が経過していた場合には、その地域ではこの商品を新規商品扱いとして処理することができなかった。
【０００８】
そこで本発明は、本部側で意識しなくても小売店側で新規商品かそれ以外の通常商品かを管理できるとともに、新規商品の場合にはその取り扱い期間も管理できる商品情報管理装置を提供しようとするものである。
また、新規商品として取り扱う期間を任意に設定できる商品情報管理装置を提供しようとするものである。
【０００９】
【課題を解決するための手段】
本願請求項１記載の発明は、各商品の商品コードに対応して商品名称，分類コード，金額等の商品情報を記憶管理する商品ファイルを備え、この商品ファイルに追加する商品情報や変更する商品情報を格納したメンテナンスファイルを外部より入力すると、このメンテナンスファイルに格納された商品情報に基づいて商品ファイルで記憶管理する商品情報を更新する商品情報管理装置において、メンテナンスファイルを入力する毎にそのメンテナンスファイルに格納された商品情報と更新前の商品ファイルに格納された商品情報とを照合する商品情報照合手段と、この商品情報照合手段によりメンテナンスファイルに存在し商品ファイルには存在しない商品コードの商品情報を検出するとこの商品情報を新規商品の情報として当該商品の取扱開始時から一定期間記憶管理する新規商品管理手段とを設けたものである。
このような構成を有することにより、メンテナンスファイルには存在し商品ファイルには存在しない商品情報が、自動的に新規商品の情報として当該商品の取扱開始時から一定期間だけ記憶管理される。
【００１０】
本願請求項２記載の発明は、メンテナンスファイルに格納される商品情報に当該商品情報を新規商品の情報として管理する開始日である新規開始変更日の情報を選択的に設定する。そして、前記請求項１記載の発明の新規商品管理手段を、商品情報照合手段によりメンテナンスファイルに存在し商品ファイルには存在しない商品コードの商品情報を検出するとこのメンテナンスファイルの商品情報に新規開始変更日の情報が設定されているか否かを判断し、設定されていない場合にはこの商品情報を取扱開始時から一定期間新規商品の情報として記憶管理し、設定されている場合にはその新規開始変更日から一定期間新規商品の情報として記憶管理する手段としたものである。
このような構成を有することにより、請求項１記載の発明と同様に、メンテナンスファイルには存在し商品ファイルには存在しない商品情報が、自動的に新規商品の情報として一定期間だけ記憶管理されるが、この期間の開始日が、メンテナンスファイルの商品情報に設定された新規開始変更日となる。
【００１１】
本願請求項３記載の発明は、上記請求項２記載の発明に、商品情報照合手段によりメンテナンスファイルと商品ファイルの両方に存在する商品コードの商品情報を検出すると、メンテナンスファイル側の当該商品情報に新規開始変更日の情報が設定されているか否かを判断し、設定されている場合にはその新規開始変更日から一定期間新規商品の情報として当該商品情報を記憶管理する新規変更商品管理手段を設けたものである。
このような構成を有することにより、メンテナンスファイルと商品ファイルの両方に存在する商品コードの商品情報のうち、メンテナンスファイル側の商品情報に新規開始変更日の情報が設定されている商品情報が、新規商品の情報としてその新規開始変更日から一定期間記憶管理される。
【００１２】
本願請求項４記載の発明は、メンテナンスファイルに格納される商品情報に新規対象外フラグを選択的に設定する。そして、前記請求項１記載の発明の新規商品管理手段を、商品情報照合手段によりメンテナンスファイルに存在し商品ファイルには存在しない商品コードの商品情報を検出するとこのメンテナンスファイルの商品情報に新規対象外フラグが設定されているか否かを判断し、設定されていない場合のみこの商品情報を取扱開始時から一定期間新規商品の情報として記憶管理する手段としたものである。
このような構成を有することにより、メンテナンスファイルには存在し商品ファイルには存在しない商品情報のうち、メンテナンスファイル側の商品情報に新規対象外フラグが設定されていない商品情報が、自動的に新規商品の情報として一定期間だけ記憶管理される。
【００１３】
本願請求項５記載の発明は、各商品を分類する分類コード別に新規商品としての取扱期間を予め設定したテーブルメモリを設け、前記請求項１乃至４の各請求項記載の発明において、新規商品管理手段により新規商品の情報として記憶管理する期間を、その商品が属する分類コードに対応してテーブルメモリに設定された取扱期間としたものである。
このような構成を有することにより、新規商品の情報として記憶管理する期間が、その商品が属する分類コードに応じて可変的に設定される。
【００１４】
【発明の実施の形態】
以下、本発明の一実施の形態を図面を用いて説明する。
図１は本部により統轄される各小売店にそれぞれ構築されるＰＯＳシステムの概念図であり、本発明の商品情報管理装置として機能するストアコントローラ１と、商品の売上業務や発注業務を行なう複数台のＰＯＳ端末２とが、ＬＡＮ（Local Area Network）などの通信回線３で接続されている。
ストアコントローラ１には、図２に示すレコードフォーマットの商品情報レコードを多数記憶する商品ファイル５が搭載されている。前記商品情報レコードは１商品毎に構成され、その商品の商品コードをキーに、商品名称，分類コードとしての部門コード，売価，製造元コード，発注単位等の商品管理情報と、この商品情報レコードの取扱期間情報（取扱開始日及び取扱終了日）と、新規商品としての取扱期間である新規期間情報（新規開始日及び新規終了日）とを記憶したレコードである。
【００１５】
また、ストアコントローラ１には、ＩＳＤＮ（Integrated Services Digital Network ：サービス総合ディジタル網）等の専用通信網４を介して本部のコンピュータシステム（不図示）が接続されている。そして、本部のコンピュータシステムから専用通信網４を介して、図３に示すレコードフォーマットのメンテナンスレコードを記憶したメンテナンスファイル６が適時配信されるようになっている。
【００１６】
前記メンテナンスレコードは商品ファイル５に追加する商品情報レコードや変更する商品情報レコード毎に構成され、その追加または変更する商品情報レコードのキーとなる商品コードに対応して、商品名称，分類コードとしての部門コード，売価，製造元コード，発注単位等の商品管理情報と、取扱期間情報（取扱開始日及び取扱終了日）と、新規対象外フラグと、新規開始変更日情報とを記憶したレコードである。
ここで、新規対象外フラグは、当該メンテナンスレコードによって追加または変更される商品情報レコードを新規対象としない場合に“１”にセットされるフラグである。新規開始変更日情報は、当該メンテナンスレコードによって追加または変更される商品情報レコードを新規商品のレコードとして管理する開始日である。これらの新規対象フラグ及び新規開始変更日情報は、本部のコンピュータシステム上で任意に設定される。
【００１７】
図４は前記ストアコントローラ１の要部構成を示すブロック図であり、制御部本体としてＣＰＵ（Central Processing Unit）１１を搭載している。そしてこのＣＰＵ１１に、アドレスバス，データバスなどのバスラインＢＬを介して、プログラムなどの固定的データを予め格納したＲＯＭ（Read Only Memory）１２、前記本部のコンピュータシステムから配信されたメンテナンスファイル６を一時記憶する受信バッファ等の各種メモリエリアが形成されるＲＡＭ（Random Access Memory）１３、現在の日付及び時刻を計時する時計部１４、前記通信回線３を介して接続された各ＰＯＳ端末２とのデータ通信を制御するＰＯＳインタフェース１５、前記商品ファイル５などのデータファイルを記憶するＨＤＤ（Hard Disc Drive）装置１６、フロッピーディスクに対するデータの書込み及び読み出しを行なうＦＤＤ（Floppy Disk Drive）装置１７、キーボード，ディスプレイ，プリンタなどの各種入出力機器が接続されるＩ／Ｏポート１８、前記専用通信網４を介して接続された本部コンピュータシステムとのデータ通信を制御するホストインタフェース１９等を接続している。
【００１８】
前記ＲＡＭ１３には、特に図５に示すように、各商品を分類する部門コード別に日数データをプリセットしてなる部門別期間設定テーブル７が形成されている。そして、各小売店において、それぞれ各部門毎にその部門に属する商品を新規商品扱いする期間（日数）を決定し、その日数データを自店舗のストアコントローラ１における部門別期間設定テーブル７に設定するようにしている。なお、本部において部門別の新規商品扱い期間を決定して部門別期間設定テーブル７を作成し、このテーブル７を専用通信網４を介してまたはフロッピーディスクを介してＲＡＭ１３にロードしてもよい。
【００１９】
かかる構成のストアコントローラ１は、本部のコンピュータシステムから配信されるメンテナンスファイル６を専用通信網４を介して受信し受信バッファに一時格納すると、前記ＣＰＵ１１が、図６の流れ図に示す商品ファイル更新処理を実行するように、ＲＯＭ１２のプログラムを構成している。
【００２０】
先ず、ＣＰＵ１１は、ＳＴ（ステップ）１としてＣＰＵ内蔵のカウンタｎを“０”にリセットする。次に、ＣＰＵ１１は、ＳＴ２として上記カウンタｎを“１”だけカウントアップしたならば、ＳＴ３として受信バッファに格納したメンテナンスファイル６からカウンタｎのカウント値に相当するレコード番号ｎのメンテナンスレコードを読み出す。
【００２１】
ここで、ＳＴ４としてメンテナンスファイル６にレコード番号ｎのレコードが存在し読み出したならば、ＳＴ５としてこのレコード番号ｎのメンテナンスレコードの商品コードを検索キーとして前記商品ファイル５を検索する（商品情報照合手段）。
そして、ＳＴ６としてこの検索キーとしての商品コードと一致する商品コードの商品情報レコードを検出したならば、当該メンテナンスレコードは当該商品情報レコードの商品情報を変更するレコードなので、ＳＴ７として後述する商品情報レコード変更処理を実行する。これに対し、ＳＴ６にて検索キーとしての商品コードと一致する商品コードの商品情報レコードを検出できなかった場合には、当該メンテナンスレコードは商品ファイル５に追加する商品情報のレコードなので、ＳＴ８として後述する商品情報レコード追加処理を実行する。
【００２２】
ＳＴ７の商品情報レコード変更処理またはＳＴ８の商品情報レコード追加処理を終了すると、ＣＰＵ１１はＳＴ２の処理に戻り、前記カウンタｎをさらに“１”だけカウントアップして、メンテナンスファイル６からレコード番号ｎのメンテナンスレコードを読み出す。そして、このレコード番号ｎのメンテナンスレコードの商品コードを検索キーとして前記商品ファイル５を検索して、一致する商品コードの商品情報レコードを検出したならば商品情報レコード変更処理を実行し、検出できなかったならば商品情報レコード追加処理を実行する。
【００２３】
こうして、メンテナンスファイル６から１レコードを読出す毎に商品情報レコード変更処理または商品情報レコード追加処理を実行し、ＳＴ４にてメンテナンスファイル６にレコード番号ｎのレコードが存在せず読み出せくなった場合には、ＳＴ９として受信バッファからメンテナンスファイル６を削除して、この商品ファイル更新処理を終了する。
【００２４】
図７は前記商品情報レコード変更処理の内容を具体化した流れ図である。すなわちＣＰＵ１１は、レコード番号ｎのメンテナンスレコードの商品コードと一致する商品情報レコードを商品ファイル５から検出すると、この商品情報レコード変更処理を開始する。
【００２５】
そして先ず、ＳＴ１１として該当商品情報レコードの取扱期間情報及び商品管理情報をレコード番号ｎのメンテナンスレコードの取扱期間情報及び商品管理情報に書換える。次に、ＳＴ１２としてレコード番号ｎのメンテナンスレコードに新規対象外フラグがセットされているか否かを判断する。ここで、新規対象外フラグが“１”にセットされている，つまり新規対象外とする設定になっていたことを確認した場合には（ＳＴ１３のＹＥＳ）、ＳＴ１４として該当商品情報レコードの新規期間情報をクリアして、つまり新規商品としての管理期間を強制的に終了して、この商品情報レコード変更処理を終了する。
【００２６】
これに対し、レコード番号ｎのメンテナンスレコードの新規対象外フラグが“１”にセットされていない，つまり新規対象外とする設定になっていない場合には（ＳＴ１３のＮＯ）、ＳＴ１５としてこのレコード番号ｎのメンテナンスレコードの新規開始変更日情報を調べる。ここで、新規開始変更日情報が設定されていないことを確認した場合には（ＳＴ１６のＹＥＳ）、この商品情報レコード変更処理を終了する。
【００２７】
一方、新規開始変更日情報が設定されていることを確認した場合には（ＳＴ１６のＮＯ）、ＳＴ１７としてこのレコード番号ｎのメンテナンスレコードの部門コードに対応する新規商品扱い期間の日数データを部門別期間設定テーブル７から読出す。そして、ＳＴ１８としてこの新規開始変更日情報の日付から当該日数データを加算した日付Ｄを算出する。しかして、ＳＴ１９としてレコード番号ｎのメンテナンスレコードの商品情報に基づき書換えた商品ファイル５の商品情報レコードに、新規期間情報の新規開始日として前記新規開始変更日情報の日付をセットし、新規終了日としてＳＴ１８で算出した日付Ｄをセットすることにより、当該商品情報レコードを新規商品の情報として一定期間管理する設定にしたならば（新規変更商品管理手段）、この商品情報レコード変更処理を終了する。
【００２８】
図８は前記商品情報レコード追加処理の内容を具体化した流れ図である。すなわちＣＰＵ１１は、レコード番号ｎのメンテナンスレコードの商品コードと一致する商品情報レコードを商品ファイル５から検出できない，つまりメンテナンスファイル６に存在し商品ファイル５には存在しない商品コードの商品情報を検出すると、この商品情報レコード追加処理を開始する。
【００２９】
そして先ず、ＳＴ２１として商品ファイル５に新規のレコードを確保し、このレコードにレコード番号ｎのメンテナンスレコードの商品コード，商品管理情報，取扱期間情報をセットする。次に、ＳＴ２２としてレコード番号ｎのメンテナンスレコードの新規対象外フラグが“１”にセットされているか否かを判断する。ここで、“１”にセットされている，つまり新規対象外とする設定になっていたことを確認した場合には（ＳＴ２３のＹＥＳ）、商品ファイル５に追加した商品情報レコードの新規期間情報を設定しないまま、この商品情報レコード追加処理を終了する。
【００３０】
これに対し、レコード番号ｎのメンテナンスレコードの新規対象外フラグが“１”にセットされていない，つまり新規対象外とする設定になっていない場合には（ＳＴ２３のＮＯ）、ＳＴ２４としてこのレコード番号ｎのメンテナンスレコードの新規開始変更日情報を調べる。ここで、新規開始変更日情報が設定されていないことを確認した場合には（ＳＴ２５のＹＥＳ）、ＳＴ２６としてこのレコード番号ｎのメンテナンスレコードの部門コードに対応する新規商品扱い期間の日数データを部門別期間設定テーブル７から読出す。そして、ＳＴ２７としてこのレコード番号ｎのメンテナンスレコードの取扱開始日から当該日数データを加算した日付Ｄを算出する。しかして、ＳＴ２８としてこのレコード番号ｎのメンテナンスレコードの商品情報に基づき商品ファイル５に追加された商品情報レコードに、新規期間情報の新規開始日として取扱開始日をセットし、新規終了日としてＳＴ２７で算出した日付Ｄをセットすることにより、当該商品情報レコードを新規商品の情報として一定期間管理する設定にしたならば（新規商品管理手段）、この商品情報レコード追加処理を終了する。
【００３１】
一方、新規開始変更日情報が設定されていることを確認した場合には（ＳＴ２５のＮＯ）、ＳＴ２９としてこのレコード番号ｎのメンテナンスレコードの部門コードに対応する新規商品扱い期間の日数データを部門別期間設定テーブル７から読出す。そして、ＳＴ３０としてこの新規開始変更日情報の日付から当該日数データを加算した日付Ｄを算出する。しかして、ＳＴ３１としてこのレコード番号ｎのメンテナンスレコードの商品情報に基づき商品ファイル５に追加された商品情報レコードに、新規期間情報の新規開始日として前記新規開始変更日情報の日付をセットし、新規終了日としてＳＴ３０で算出した日付Ｄをセットすることにより、当該商品情報レコードを新規商品の情報として一定期間管理する設定にしたならば（新規商品管理手段）、この商品情報レコード追加処理を終了する。
【００３２】
このように構成された本実施の形態においては、各小売店に設置されているストアコントローラ１に実装された商品ファイル５に追加する商品情報のメンテナンスレコードや変更する商品情報のメンテナンスレコードを記憶したメンテナンスファイル６を本部のコンピュータシステムで作成し、専用通信網４を介して各小売店のストアコントローラ１に配信する。
【００３３】
そうすると、このメンテナンスファイル６を受信した各小売店のストアコントローラ１では、前述した商品ファイル更新処理が実行される。これにより、商品ファイル５に追加する商品情報のメンテナンスレコードに基づいて、商品ファイル５に該当する商品情報レコードが追加される。また、変更する商品情報のメンテナンスレコードに基づいて、商品ファイル５の該当する商品情報レコードが変更される。
【００３４】
この場合において、商品ファイル５に追加された商品情報レコードは、メンテナンスファイル６に存在し商品ファイル５には存在しない商品コードのレコードなので、自動的に新規商品のレコードとして管理される。具体的には、対応するメンテナンスレコードに新規開始変更日が設定されている場合には、その新規開始変更日から一定期間だけ新規商品として管理され、新規開始変更日が設定されていない場合には、当該商品の取扱開始日から一定期間だけ新規商品として管理される。ここで、新規商品として管理される一定期間は、その商品が属する部門に対して予め部門別期間設定テーブル７上で設定されている日数となる。
なお、対応するメンテナンスレコードに新規対象外フラグが設定（“１”にセット）されていた場合には、その商品情報レコードは新規商品のレコードとして管理されない。
【００３５】
一方、メンテナンスファイル６のメンテナンスレコードに基づいて変更された商品情報レコードも、当該メンテナンスレコードの新規対象外フラグが未設定でかつ新規開始変更日が設定されていた場合には、その新規開始変更日から一定期間だけ新規商品のレコードとして管理される。この場合の期間もその商品が属する部門に対して予め部門別期間設定テーブル７上で設定された日数となる。
なお、メンテナンスレコードの新規対象外フラグが設定（“１”にセット）されていた場合で、変更された商品情報レコードに新規期間情報が設定されていた場合には、その新規期間情報が強制的にクリアされる。すなわち、新規商品のレコードとして管理されなくなる。
【００３６】
このように本実施の形態では、本部のコンピュータシステムから受信したメンテナンスファイル６に格納された商品情報と、このメンテナンスファイル６のメンテナンスレコードによって更新される前の商品ファイル５に格納された商品情報とを照合し、メンテナンスファイル６に存在し商品ファイル５には存在しない商品コードの商品情報を検出すると、この商品情報を自動的に新規商品の情報として取扱開始時から一定期間記憶管理するようにしている。したがって、メンテナンスファイル６を作成する本部において、同ファイル６に格納する商品情報が新規商品の情報なのか否かを意識して、当該商品情報に付加されるフラグをセットまたはリセットする必要がなくなる。その結果、本部の設定ミスにより各小売店で新規商品であるべき商品が新規商品以外の通常商品として取り扱われたり、通常商品が新規商品として取り扱われたりすることがなくなる。また、新規開始日から新規終了日までの期間を設定して管理するので、例えば発注業務において当日より先の日付の発注日には新規商品でなくなる商品については、現時点が新規商品であるとしても通常商品として取り扱われ、店舗業務を支障なく執り行うことができる。
【００３７】
また、本実施の形態では、メンテナンスファイル６に格納される商品情報に新規開始変更日の情報を選択的に設定するようにしている。そして、メンテナンスファイル６に存在し商品ファイル５には存在しない商品コードの商品情報を検出すると、このメンテナンスファイル６の商品情報に新規開始変更日の情報が設定されているか否かを判断し、設定されていない場合にはこの商品情報を取扱開始時から一定期間新規商品の情報として記憶管理し、設定されている場合にはその新規開始変更日から一定期間新規商品の情報として記憶管理するようにしている。したがって、本部の設定により新規商品のレコードとして管理する期間の開始日を任意に変更することができる。
【００３８】
また、メンテナンスファイル６と商品ファイル５の両方に存在する商品コードの商品情報を検出した場合も、メンテナンスファイル６側の当該商品情報に新規開始変更日の情報が設定されているか否かを判断し、設定されている場合にはその新規開始変更日から一定期間新規商品の情報として当該商品情報を記憶管理するようにしている。したがって、各小売店においてこれまでは通常商品のレコードとして管理されていた商品情報を、本部の設定により新規商品のレコードとして一定期間管理できるようになる。
【００３９】
さらに、本実施の形態では、メンテナンスファイル６に格納される商品情報に新規対象外フラグを選択的に設定するようにしている。そして、メンテナンスファイル６に存在し商品ファイル５には存在しない商品コードの商品情報を検出すると、このメンテナンスファイル６の商品情報に新規対象外フラグが設定されているか否かを判断し、設定されていない場合のみこの商品情報を取扱開始時から一定期間新規商品の情報として記憶管理するようにしている。したがって、商品ファイル５に追加される商品情報レコードであっても、本部設定により新規商品のレコードとして管理しないようにすることができる。
【００４０】
また、メンテナンスファイル６と商品ファイル５の両方に存在する商品コードの商品情報を検出した場合も、メンテナンスファイル６の商品情報に新規対象外フラグが設定されているか否かを判断する。そして、設定されていた場合には、商品情報ファイル５における該当商品情報の新規期間情報を強制的にクリアするようにしている。したがって、各小売店で新規商品のレコードとして管理されている商品情報レコードを、本部設定により強制的に通常商品のレコードに変更することも可能である。
【００４１】
また、本実施の形態では、各商品を分類する部門コード別に新規商品としての取扱期間を予め設定した部門別期間設定テーブル７を設け、新規商品の情報として記憶管理する期間を、その商品が属する部門コードに対応して部門別期間設定テーブル７に設定された取扱期間としている。したがって、新規商品として管理する期間を、小売店毎に、商品が属する部門によって可変的に設定することができる。
【００４２】
なお、前記一実施の形態では、メンテナンスファイル６をオンライン配信によりストアコントローラ１に入力したが、メンテナンスファイル６をフロッピーディスクに記録し、ＦＤＤ１７で読取らせることによってストアコントローラ１に入力してもよい。また、フロッピーディスクの代わりにメモリカード，ＣＤ−ＲＯＭなどを用いてもよいのはいうまでもないことである。
【００４３】
【発明の効果】
以上詳述したように、本願請求項１記載の発明によれば、本部側で意識しなくても小売店側で新規商品かそれ以外の通常商品かを管理できるとともに、新規商品の場合にはその取り扱い期間も管理できる商品情報管理装置を提供できる。
また、本願請求項２記載の発明によれば、上記請求項１記載の発明の効果に加えて、新規商品として管理する期間の開始日を任意に設定できる効果を奏し得る。
また、本願請求項３記載の発明によれば、上記請求項２記載の発明の効果に加えて、これまで通常商品として管理していた商品を新たに新規商品として一定期間管理できる効果を奏し得る。
また、本願請求項４記載の発明によれば、上記請求項１記載の発明の効果に加えて、新規商品として管理しないように強制的に設定できる効果を奏し得る。
さらに、本願請求項５記載の発明によれば、上記各請求項記載の効果に加えて、新規商品として管理する期間をその商品が属する分類によって任意に可変設定できる効果を奏し得る。
【図面の簡単な説明】
【図１】  本発明の一実施の形態であるＰＯＳシステムの概念図。
【図２】  同実施の形態において商品ファイルに記憶される商品情報レコードのフォーマットを示す図。
【図３】  同実施の形態においてメンテナンスファイルに記憶されるメンテナンスレコードのフォーマットを示す図
【図４】  同実施の形態におけるストアコントローラの要部構成を示すブロック図。
【図５】  同ストアコントローラのＲＡＭに形成される部門別期間設定テーブルの構成図。
【図６】  同ストアコントローラのＣＰＵが実行する商品ファイル更新処理の要部を示す流れ図。
【図７】  図６における商品情報レコード変更処理を具体化した流れ図。
【図８】  図６における商品情報レコード追加処理を具体化した流れ図。
【符号の説明】
１…ストアコントローラ
２…ＰＯＳ端末
４…専用通信網
５…商品ファイル
６…メンテナンスファイル
７…部門別期間設定テーブル
【図１】
0003725734.tif 000002
【図２】
0003725734.tif 000003
【図３】
0003725734.tif 000004
【図４】
0003725734.tif 000005
【図５】
0003725734.tif 000006
【図６】
0003725734.tif 000007
【図７】
0003725734.tif 000008
【図８】
0003725734.tif 000009